(57)【要約】【課題】機能の起動制御をユーザの位置および行動に基づいて行うための技術を提供する。【解決手段】ユーザによりなされる行動および前記行動がなされる位置を取得する取得部と、前記位置での前記行動が過去になされた場合における機能の起動状態の履歴に基づいて、前記ユーザにより前記位置での前記行動がなされている間の前記機能の起動状態を制御する起動制御部と、を備える、制御装置が提供される。【選択図】図１
2014007451.tif 000002
【特許請求の範囲】
【請求項１】
ユーザによりなされる行動および前記行動がなされる位置を取得する取得部と、
前記位置での前記行動が過去になされた場合における機能の起動状態の履歴に基づいて、前記ユーザにより前記位置での前記行動がなされている間の前記機能の起動状態を制御する起動制御部と、
を備える、制御装置。
【請求項２】
前記起動制御部は、前記位置での前記行動が過去になされた場合における機能の起動状態の履歴に基づいて、前記機能を起動させるか否かを判定する、
請求項１に記載の制御装置。
【請求項３】
前記取得部は、予定情報に登録されている行動を前記ユーザによりなされる行動として取得する、
請求項１に記載の制御装置。
【請求項４】
前記取得部は、予定情報に登録されている位置を前記行動がなされる位置として取得する、
請求項１に記載の制御装置。
【請求項５】
前記機能は、センサによる検出機能、通信インタフェースによる通信機能およびプログラムにより提供される機能のうちの少なくともいずれか１つを含む、
請求項１に記載の制御装置。
【請求項６】
前記履歴は、当該ユーザ以外のユーザにより前記位置での前記行動が過去になされた場合における履歴である、
請求項１に記載の制御装置。
【請求項７】
ユーザによりなされる行動および前記行動がなされる位置を取得することと、
前記位置での前記行動が過去になされた場合における機能の起動状態の履歴に基づいて、前記ユーザにより前記位置での前記行動がなされている間の前記機能の起動状態を制御することと、
を含む、制御方法。
【請求項８】
コンピュータを、
ユーザによりなされる行動および前記行動がなされる位置を取得する取得部と、
前記位置での前記行動が過去になされた場合における機能の起動状態の履歴に基づいて、前記ユーザにより前記位置での前記行動がなされている間の前記機能の起動状態を制御する起動制御部と、
を備える制御装置として機能させるためのプログラム。
【請求項９】
コンピュータを、
ユーザによりなされる行動および前記行動がなされる位置を取得する取得部と、
前記位置での前記行動が過去になされた場合における機能の起動状態の履歴に基づいて、前記ユーザにより前記位置での前記行動がなされている間の前記機能の起動状態を制御する起動制御部と、
を備える制御装置として機能させるためのプログラムを記録した、コンピュータに読み取り可能な記録媒体。
【発明の詳細な説明】
【技術分野】
【０００１】
本開示は、制御装置、制御方法、プログラムおよび記録媒体に関する。
【背景技術】
【０００２】
近年、スマートフォンなどの携帯端末の普及に伴い、ネットワークへの接続機能、ＧＰＳ信号を用いた位置検出機能、Ｗｉ−Ｆｉなどによる無線通信機能などといった様々な機能が搭載される携帯端末が増加している。また、バックグラウンドで動作するアプリケーションが搭載される携帯端末も増加している。しかしながら、例えば、これらの機能を常時起動させていると電力を必要以上に消費してしまう可能性がある。
【０００３】
このような無駄な電力消費を低減するため、必要に応じてユーザが手動や設定などにより機能を停止する手法が想定される。しかし、このような手法を採用した場合であっても、特に必要のないときに機能が起動されてしまい、電力を無駄に使用してしまうことがある。また、特に手動により機能を停止させる場合には、機能の起動または停止をユーザが指定しなくてはならず、ユーザに手間がかかってしまう。
【０００４】
そこで、例えば、ユーザの現在位置から目的地までの移動経路における携帯端末の通信状況を予測し、この予測結果に基づいて、携帯端末の通信機能を起動または停止する技術が開示されている（例えば、特許文献１参照）。携帯端末の通信状況は、例えば、携帯端末がオフライン状態に遷移する位置または時間、オンライン状態に復帰する位置または時間などに相当する。
【先行技術文献】
【特許文献】
【０００５】
【特許文献１】特開２０１１−０６１７１３号公報
【発明の概要】
【発明が解決しようとする課題】
【０００６】
しかしながら、かかる技術によれば、通信状況の予測結果に基づいて通信機能を起動制御することは可能であるが、機能の起動制御をユーザの位置および行動に基づいて行うことは困難である。したがって、機能の起動制御をユーザの位置および行動に基づいて行うための技術が実現されることが望ましい。
【課題を解決するための手段】
【０００７】
本開示によれば、ユーザによりなされる行動および前記行動がなされる位置を取得する取得部と、前記位置での前記行動が過去になされた場合における機能の起動状態の履歴に基づいて、前記ユーザにより前記位置での前記行動がなされている間の前記機能の起動状態を制御する起動制御部と、を備える、制御装置が提供される。
【０００８】
また、本開示によれば、ユーザによりなされる行動および前記行動がなされる位置を取得することと、前記位置での前記行動が過去になされた場合における機能の起動状態の履歴に基づいて、前記ユーザにより前記位置での前記行動がなされている間の前記機能の起動状態を制御することと、を含む、制御方法が提供される。
【０００９】
また、本開示によれば、コンピュータを、ユーザによりなされる行動および前記行動がなされる位置を取得する取得部と、前記位置での前記行動が過去になされた場合における機能の起動状態の履歴に基づいて、前記ユーザにより前記位置での前記行動がなされている間の前記機能の起動状態を制御する起動制御部と、を備える制御装置として機能させるためのプログラムが提供される。
【００１０】
また、本開示によれば、コンピュータを、ユーザによりなされる行動および前記行動がなされる位置を取得する取得部と、前記位置での前記行動が過去になされた場合における機能の起動状態の履歴に基づいて、前記ユーザにより前記位置での前記行動がなされている間の前記機能の起動状態を制御する起動制御部と、を備える制御装置として機能させるためのプログラムを記録した、コンピュータに読み取り可能な記録媒体が提供される。
【発明の効果】
【００１１】
以上説明したように本開示によれば、機能の起動制御をユーザの位置および行動に基づいて行うための技術を提供することが可能である。
【図面の簡単な説明】
【００１２】
【図１】本開示の実施形態に係る起動制御装置の外観例を示す図である。
【図２】本開示の実施形態に係る起動制御装置の機能構成例を示す図である。
【図３】本開示の実施形態に係る起動制御装置により使用される履歴情報の構成例を示す図である。
【図４】本開示の実施形態に係る起動制御装置により使用される起動履歴の構成例を示す図である。
【図５】本開示の実施形態に係る起動制御装置により使用される予定情報の構成例を示す図である。
【図６】本開示の実施形態に係る起動制御装置の機能例を示す図である。
【図７】本開示の実施形態に係る起動制御装置の動作例を示す図である。
【図８】本開示の実施形態に係る起動制御装置の動作例を示す図である。
【発明を実施するための形態】
【００１３】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１４】
また、本明細書および図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００１５】
また、以下に示す項目順序に従って当該「発明を実施するための形態」を説明する。
１．実施形態
１−１．起動制御装置の概要
１−２．起動制御装置の機能構成例
１−３．履歴情報の構成例
１−４．起動履歴の構成例
１−５．予定情報の構成例
１−６．起動制御装置の機能例
１−７．起動制御装置の動作例
２．むすび
【００１６】
＜＜１．実施形態＞＞
＜１−１．起動制御装置の外観例＞
以下、本開示の実施形態について順次詳細に説明する。まず、本開示の実施形態に係る起動制御装置１０の外観例について説明する。図１は、本開示の実施形態に係る起動制御装置１０の外観例を示す図である。
【００１７】
図１に示したように、本開示の実施形態に係る起動制御装置１０は、一例として、スマートフォンに搭載され、ネットワーク２０を介して他の装置と通信可能に構成されている。すなわち、起動制御装置１０とネットワーク２０とは起動制御システム１を構成し得る。しかし、図１に示した起動制御装置１０の外観は一例に過ぎない。例えば、起動制御装置１０は、ＰＣ（Ｐｅｒｓｏｎａｌ  Ｃｏｍｐｕｔｅｒ）、Ｔａｂｌｅｔ型コンピュータなどの装置に搭載されてもよい。なお、本開示の実施形態に係る起動制御装置１０は、制御装置の一例として機能し得る。
【００１８】
ここで、上記したように、ネットワークへの接続機能、ＧＰＳ信号を用いた位置検出機能、Ｗｉ−Ｆｉなどによる無線通信機能などといった様々な機能を常時起動させていると電力を必要以上に消費してしまう可能性がある。このような無駄な電力消費を低減するため、必要に応じてユーザが手動や設定などにより機能を停止する手法が想定される。しかし、このような手法を採用した場合であっても、特に必要のないときに機能が起動されてしまい、電力を無駄に使用してしまうことがある。また、特に手動により機能を停止させる場合には、機能の起動または停止をユーザが指定しなくてはならず、ユーザに手間がかかってしまう。
【００１９】
また、例えば、ユーザの現在位置から目的地までの移動経路における携帯端末の通信状況を予測し、この予測結果に基づいて、携帯端末の通信機能を起動または停止する技術が存在する。かかる技術によれば、通信状況の予測結果に基づいて通信機能を起動制御することは可能であるが、機能の起動制御をユーザの位置および行動に基づいて行うことは困難である。したがって、本開示の実施形態では、機能の起動制御をユーザの位置および行動に基づいて行うための技術を提案する。
【００２０】
以上、本開示の実施形態に係る起動制御装置１０の外観例について説明した。
【００２１】
＜１−２．起動制御装置の機能構成例＞
続いて、本開示の実施形態に係る起動制御装置１０の機能構成例について説明する。図２は、本開示の実施形態に係る起動制御装置１０の機能構成例を示す図である。図２に示したように、起動制御装置１０は、制御部１１０、入力部１２０、検出部１３０、通信部１４０、記憶部１５０および出力部１６０を備える。
【００２２】
制御部１１０は、例えば、ＣＰＵ（Ｃｅｎｔｒａｌ  Ｐｒｏｃｅｓｓｉｎｇ  Ｕｎｉｔ）などのプロセッサに相当する。制御部１１０は、記憶部１５０または他の記憶媒体に記憶されるプログラムを実行することにより、制御部１１０が有する様々な機能を発揮する。また、制御部１１０は、履歴生成部１１１、取得部１１２、判定部１１３、起動制御部１１４および起動部１１５を備える。履歴生成部１１１、取得部１１２、判定部１１３、起動制御部１１４および起動部１１５それぞれの機能の詳細については後に説明する。なお、判定部１１３は、起動制御部１１４に備わっていてもよい。
【００２３】
入力部１２０は、ユーザからの操作を受け付ける機能を有する。入力部１２０は、ユーザからの操作を操作情報として制御部１１０に出力する。操作情報は制御部１１０によって、例えば、プログラムの実行に用いられる。なお、図２に示した例では、入力部１２０は起動制御装置１０と一体化されているが、入力部１２０は起動制御装置１０と別体に構成されていてもよい。
【００２４】
検出部１３０は、ユーザの現在位置を検出する機能を有する。検出部１３０によるユーザの現在位置の検出手法は、特に限定されない。例えば、検出部１３０は、ＧＰＳ衛星から受信した信号に基づいて、検出部１３０の現在位置を推定することによりユーザの現在位置を検出してもよい。また、検出部１３０の現在位置は、検出部１３０によって推定されなくてもよい。
【００２５】
例えば、検出部１３０によるＧＰＳ衛星からの信号の受信結果が起動制御装置１０から位置推定サーバに送信された場合、位置推定サーバによって検出部１３０の現在位置が推定されてもよい。その場合には、検出部１３０は、位置推定サーバによって推定された検出部１３０の現在位置を検出することができる。ユーザの現在位置の形式は、経度・緯度を用いた形式であってもよいし、極座標を用いた形式であってもよいし、ベクトルを用いた形式であってもよい。また、ユーザの現在位置の形式は、高度を含めた３次元座標であってもよい。
【００２６】
通信部１４０は、例えば、ネットワーク２０に接続するための通信デバイスなどで構成された通信インタフェースである。通信部１４０は、例えば、ネットワーク２０を介して他の装置と通信を行うことが可能である。通信部１４０によるネットワーク２０を介した通信は、無線によりなされてもよいし、有線によりなされてもよい。なお、図２に示した例では、通信部１４０は起動制御装置１０と一体化されているが、通信部１４０は起動制御装置１０と別体に構成されていてもよい。
【００２７】
記憶部１５０は、半導体メモリまたはハードディスクなどの記憶媒体を用いて、制御部１１０を動作させるためのプログラムを記憶する。また、例えば、記憶部１５０は、プログラムによって使用される各種のデータ（例えば、履歴情報、起動履歴、予定情報など）を記憶することもできる。これらのデータの詳細については後に説明する。なお、図２に示した例では、記憶部１５０は起動制御装置１０と一体化されているが、記憶部１５０は起動制御装置１０と別体に構成されていてもよい。
【００２８】
出力部１６０は、制御部１１０による制御に従って出力を行う機能を有する。例えば、出力部１６０は、制御部１１０による制御に従ってユーザに情報の提示を行う機能を有する。出力部１６０は、画面を表示する機能を有する表示装置であってもよいし、ユーザに音声を出力する音声出力装置であってもよい。なお、図２に示した例では、出力部１６０は起動制御装置１０と一体化されているが、出力部１６０は起動制御装置１０と別体に構成されていてもよい。
【００２９】
以上、本開示の実施形態に係る起動制御装置１０の機能構成例について説明した。
【００３０】
＜１−３．履歴情報の構成例＞
続いて、本開示の実施形態に係る起動制御装置１０により使用される履歴情報の構成例について説明する。図３は、本開示の実施形態に係る起動制御装置１０により使用される履歴情報の構成例を示す図である。図３に示すように、履歴情報は、時間、行動および位置を有している。履歴情報に含まれる行動は、ユーザの行動に相当し、履歴情報に含まれる時間は、その行動がユーザによりなされた時間に相当する。履歴情報に含まれる位置は、その行動がユーザによりなされた位置に相当する。
【００３１】
履歴情報は、図３に示すように、例えば、履歴生成部１１１により検出履歴から生成され得る。検出履歴は、時刻および検出位置を含む。検出履歴に含まれる検出位置は、検出部１３０により検出されたユーザの現在位置に相当する。検出履歴に含まれる時刻は、当該ユーザの現在位置が検出された時刻に相当する。時刻および検出位置は、例えば、履歴生成部１１１により検出履歴に追加される。
【００３２】
検出履歴への追加は、所定の時間毎になされてもよいし、ソーシャルネットワークにおけるチェックイン時になされてもよい。検出履歴から履歴情報を生成する手法は特に限定されないが、例えば、行動は、検出位置に基づいて認識され得る。行動を認識する手法としては、例えば、特開２００６−３４５２６９号公報により開示されている技術を採用することができる。かかる技術を採用すれば、例えば、検出位置が履歴生成部１１１により解析されることにより、ユーザの行動が認識され得る。なお、行動の例としては、通勤、会議、食事などが挙げられる。
【００３３】
なお、本明細書におけるソーシャルネットワークは、複数の人物間のコミュニケーションを促進させるための社会的なネットワークという広義の意味に解されるべきである。ソーシャルネットワークは、趣味、職業、居住地域などが同一である人物間のコミュニケーションを促進させるためのネットワークという狭義の意味に解される場合もあるが、本明細書におけるソーシャルネットワークは、このような特定の人物間のコミュニケーションを促進させるためのネットワークに限定して解釈されるべきではない。
【００３４】
また、履歴情報に含まれる位置は、検出位置に基づいて認識され得る。図３に示した例では、履歴情報に含まれる位置は、エリア（例えば、電車内、本社、宿泊施設、駅など）を示す情報により表現されている。かかる場合には、例えば、検出位置とエリアを示す情報とが関連付けられた情報に基づいて、検出位置がエリアを示す情報に変換され得る。しかし、履歴情報に含まれる位置の形式は、限定されない。例えば、履歴情報に含まれる位置の形式は、検出位置の形式と同一であってもよい。
【００３５】
以上、本開示の実施形態に係る起動制御装置１０により使用される履歴情報の構成例について説明した。以上においては、履歴情報が起動制御装置１０のユーザ自身により当該位置での当該行動が過去になされたときの履歴である場合について説明した。しかし、履歴情報は、当該ユーザ以外のユーザにより当該位置での当該行動が過去になされたときの履歴であってもよい。
【００３６】
また、かかる履歴情報は、例えば、記憶部１５０によってあらかじめ記憶されており、制御部１１０によって必要に応じて記憶部１５０から取得されてもよい。また、かかる履歴情報は、例えば、起動制御装置１０とは別の装置によってあらかじめ記憶されており、制御部１１０によって必要に応じて当該別の装置から受信されてもよい。
【００３７】
＜１−４．起動履歴の構成例＞
続いて、本開示の実施形態に係る起動制御装置１０により使用される起動履歴の構成例について説明する。図４は、本開示の実施形態に係る起動制御装置１０により使用される起動履歴の構成例を示す図である。図４に示すように、起動履歴は、時間および起動状態の履歴を有している。起動履歴に含まれる起動状態の履歴は、機能の起動状態の履歴に相当する。図４に示した例では、起動履歴が１つの機能の起動状態の履歴を有しているが、起動履歴は複数の機能それぞれの起動状態の履歴を有してもよい。
【００３８】
ここで、図４には、機能の起動状態の履歴の例として、通信機能の起動状態の履歴が用いられる場合が示されているが、機能の種類は特に限定されない。例えば、当該機能は、センサによる検出機能であってもよいし、通信インタフェースによる通信機能であってもよいし、プログラムにより提供される機能であってもよい。すなわち、機能は、センサによる検出機能、通信インタフェースによる通信機能、プログラムにより提供される機能のうちの少なくともいずれか１つを含んでもよい。
【００３９】
センサは、例えば、ＧＰＳセンサ、地磁気センサ、傾きセンサ、加速度センサ、照度センサ、ジャイロセンサ、近傍センサなどの各種のセンサであってもよく、例えば、検出部１３０に相当する。通信インタフェースは、例えば、３Ｇ、Ｗｉ−ｆｉなどの各種の通信インタフェースであってもよく、例えば、通信部１４０に相当する。プログラムは、例えば、制御部１１０により実行されるアプリケーションが相当する。図４において、「オン」として示されている起動状態の履歴は、その時間に当該機能の起動がなされていた旨を示している。また、図４において、「オフ」として示されている起動状態の履歴は、その時間に当該機能の起動がなされていなかった旨を示している。
【００４０】
時間および起動状態の履歴は、例えば、履歴生成部１１１により起動履歴に追加される。起動履歴への追加は、所定の時間毎になされてもよい。
【００４１】
以上、本開示の実施形態に係る起動制御装置１０により使用される起動履歴の構成例について説明した。以上においては、起動制御装置１０における起動履歴が使用される場合について説明した。しかし、起動制御装置１０のユーザ以外のユーザにより使用される他の起動制御装置における起動履歴が使用されてもよい。
【００４２】
また、かかる起動履歴は、例えば、記憶部１５０によってあらかじめ記憶されており、制御部１１０によって必要に応じて記憶部１５０から取得されてもよい。また、かかる起動履歴は、例えば、起動制御装置１０とは別の装置によってあらかじめ記憶されており、制御部１１０によって必要に応じて当該別の装置から受信されてもよい。
【００４３】
＜１−５．予定情報の構成例＞
続いて、本開示の実施形態に係る起動制御装置１０により使用される予定情報の構成例について説明する。図５は、本開示の実施形態に係る起動制御装置１０により使用される予定情報の構成例を示す図である。図５に示すように、予定情報は、日付、時間、行動および位置を有している。かかる予定情報は、例えば、アプリケーションの一例としてのスケジューラが有する機能により、ユーザ操作により指定された日付および時間に関連付けて、ユーザ操作により指定された行動および位置を入力されることにより生成される。また、かかる予定情報は、例えば、スケジューラが有する機能により出力部１６０に表示させることが可能である。
【００４４】
予定情報に含まれる行動は、当該日付および当該時間においてなされる予定のユーザの行動に相当し、予定情報に含まれる位置は、その行動がユーザによりなされる予定の位置に相当する。予定情報に含まれる位置は、図５に示した例では、エリア（例えば、電車内、本社、宿泊施設、駅など）を示す情報により表現されている。しかし、予定情報に含まれる位置の形式は、限定されない。例えば、予定情報に含まれる位置の形式は、履歴情報に含まれる位置の形式と同一であってもよい。
【００４５】
以上、本開示の実施形態に係る起動制御装置１０により使用される予定情報の構成例について説明した。かかる予定情報は、例えば、記憶部１５０によってあらかじめ記憶されており、制御部１１０によって必要に応じて記憶部１５０から取得されてもよい。また、かかる予定情報は、例えば、起動制御装置１０とは別の装置によってあらかじめ記憶されており、制御部１１０によって必要に応じて当該別の装置から受信されてもよい。
【００４６】
＜１−６．起動制御装置の機能例＞
続いて、本開示の実施形態に係る起動制御装置１０の機能例について説明する。図６は、本開示の実施形態に係る起動制御装置１０の機能例を示す図である。
【００４７】
まず、取得部１１２は、ユーザによりなされる行動および当該行動がなされる位置を取得する。例えば、取得部１１２は、予定情報に登録されている行動をユーザによりなされる当該行動として取得してもよい。また、例えば、取得部１１２は、予定情報に登録されている位置を当該行動がなされる位置として取得してもよい。このように、ユーザによりなされる行動および当該行動がなされる位置が予定情報から取得されれば、センサによる位置および行動の検出に必要な電力を省略することが可能である。
【００４８】
かかる場合、例えば、取得部１１２は、現在日付に対応し、かつ、現在時刻（あるいは、現在時刻よりも所定時間後の時刻）に対応する時間における行動および位置を予定情報から取得してもよい。図６には、現在日付が「５月２日（水）」であり、現在時刻が「１７：００」である場合に、取得部１１２が、この現在日付に一致し、かつ、この現在時刻を含む「５月２日（水）１７：００−１７：３０」における行動「会議」および位置「本社」を予定情報から取得する例が示されている。
【００４９】
続いて、判定部１１３は、当該位置での当該行動が過去になされた場合における機能の起動状態の履歴に基づいて、当該機能を起動させるか否かを判定する。例えば、判定部１１３は、起動状態の履歴に当該機能「オン」が設定されている場合には、当該機能を起動させると判定してもよい。また、例えば、判定部１１３は、起動状態の履歴に当該機能「オフ」が設定されている場合には、当該機能を起動させないと判定してもよい。
【００５０】
あるいは、例えば、判定部１１３は、起動状態の履歴に当該機能「オン」が設定される頻度が所定値を超えている場合に、当該機能を起動させると判定してもよい。また、例えば、判定部１１３は、起動状態の履歴に当該機能「オン」が設定される頻度が所定値を超えない場合に、当該機能を起動させないと判定してもよい。
【００５１】
続いて、起動制御部１１４は、判定部１１３による判定結果に基づいて、ユーザにより当該位置での当該行動がなされている間の当該機能の起動状態を制御する。例えば、予定情報に含まれる時間によって、ユーザにより当該位置での当該行動がなされている時間が把握される。
【００５２】
例えば、起動制御部１１４は、当該機能を起動させると判定された場合には、ユーザにより当該位置での当該行動がなされている間の当該機能が起動部１１５により起動されるように起動部１１５を制御してもよい。また、例えば、起動制御部１１４は、当該機能を起動させないと判定された場合には、ユーザにより当該位置での当該行動がなされている間の当該機能が起動部１１５により起動されるように起動部１１５を制御してもよい。
【００５３】
図３に示された履歴情報および図４に示された起動履歴を参照すれば、位置「本社」での行動「会議」が過去になされた場合における通信機能の起動状態の履歴は「オフ」である。このような場合には、例えば、図６に示したように、起動制御部１１４は、ユーザにより当該位置での当該行動がなされている間「５月２日（水）１７：００−１７：３０」の通信機能を起動させないように制御すればよい。
【００５４】
以上、本開示の実施形態に係る起動制御装置１０の機能例について説明した。かかる機能例によれば、ユーザによりなされる行動および前記行動がなされる位置を取得することが可能である。また、当該位置での当該行動が過去になされた場合における機能の起動状態の履歴に基づいて、ユーザにより当該位置での当該行動がなされている間の当該機能の起動状態を制御することが可能である。したがって、当該機能の起動制御をユーザの位置および行動に基づいて行うことが可能となる。これによって、ユーザの利便性の低下を抑えつつ、省電力を実現することが期待される。
【００５５】
以上、本開示の実施形態について詳細に説明した。
【００５６】
＜１−７．起動制御装置の動作例＞
続いて、本開示の実施形態に係る起動制御装置１０の動作例について説明する。図７および図８は、本開示の実施形態に係る起動制御装置１０の動作例を示す図である。
【００５７】
まず、取得部１１２は、更新間隔時間を取得し（Ｓ１１）、判定部１１３は、機能の起動状態が判定可能か否かを判定する（Ｓ１２）。履歴生成部１１１は、判定部１１３により機能の起動状態が判定不可能であると判定された場合には（Ｓ１２で「Ｎｏ」の場合）、履歴（例えば、履歴情報、起動履歴など）を生成して（Ｓ１３）、Ｓ１６に進む。例えば、機能の起動履歴が存在しない場合には、機能の起動状態が判定不可能な場合に相当する。
【００５８】
一方、判定部１１３により機能の起動状態が判定可能であると判定された場合には（Ｓ１２で「Ｙｅｓ」の場合）、判定処理が行われる（Ｓ１４）。判定処理においては、まず、取得部１１２は、行動および位置を予定情報から取得し（Ｓ２１）、履歴情報から行動および位置を取得する（Ｓ２２）。
【００５９】
続いて、判定部１１３は、予定情報から取得した行動および位置と履歴情報から取得した行動および位置とがそれぞれ一致するか否かを判定する（Ｓ２３）。判定部１１３は、行動が一致しない、または、位置が一致しない場合には（Ｓ２３で「Ｎｏ」の場合）、判定処理を終了する。一方、行動が一致し、位置が一致する場合には（Ｓ２３で「Ｙｅｓ」の場合）、取得部１１２は、機能の起動状態の履歴を取得し（Ｓ２４）、判定部１１３は、機能の起動状態の履歴に基づいて、機能を起動させるか否かを判定する（Ｓ２５）。
【００６０】
続いて、起動制御部１１４は、判定結果に基づいて起動状態を制御する（Ｓ１５）。制御部１１０は、更新時間間隔の経過を待機して（Ｓ１６）、電源をＯＦＦにするか否かを判定し（Ｓ１７）、電源をＯＦＦにしない場合には（Ｓ１７で「Ｎｏ」の場合）、Ｓ１２に戻るが、電源をＯＦＦにする場合には（Ｓ１７で「Ｙｅｓ」の場合）、電源をＯＮにして動作を終了する。
【００６１】
なお、履歴情報から取得される行動および位置は、１件であってもよいし、複数件であってもよい。取得部１１２は、行動および位置を履歴情報から複数件取得する場合には、取得するサンプル数を決定し、サンプル数分の行動および位置を履歴情報から取得すればよい。また、機能を起動させるか否かの判定は、当該機能が起動される頻度に応じてなされてもよい。
【００６２】
＜２．むすび＞
以上説明したように、本開示の実施形態によれば、ユーザによりなされる行動および前記行動がなされる位置を取得する取得部と、前記位置での前記行動が過去になされた場合における機能の起動状態の履歴に基づいて、前記機能を起動させるか否かを判定する判定部と、前記判定部による判定結果に基づいて、前記ユーザにより前記位置での前記行動がなされている間の前記機能の起動状態を制御する起動制御部と、を備える、起動制御装置を実現することが可能である。
【００６３】
かかる構成によれば、機能の起動制御をユーザの位置および行動に基づいて行うための技術が実現される。これによって、ユーザの利便性の低下を抑えつつ、省電力を実現することが期待される。また、履歴に基づいて機能の起動制御が自動的に学習されるため、ユーザが意識しなくてもかかる効果が期待される。さらに、ユーザによりなされる行動および当該行動がなされる位置が予定情報から取得されれば、センサによる位置および行動の検出に必要な電力を省略することが可能である。
【００６４】
なお、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００６５】
例えば、出力部１６０により提示された情報は、ユーザが閲覧する必要があるため、出力部１６０は、ユーザにより閲覧可能な端末に存在することが想定される。一方、取得部１１２、判定部１１３および起動制御部１１４の一部または全部は、当該端末とは異なるサーバに設けられることも想定される。例えば、判定部１１３がサーバに設けられた場合には、サーバは、判定部１１３による判定結果を当該端末に送信する必要がある。かかる場合、判定部１１３による判定結果のサーバによる送信は、上記した起動制御部１１４による機能の起動状態の制御に含まれる。
【００６６】
また、本明細書の起動制御装置１０の動作における各ステップは、必ずしもフローチャートとして記載された順序に沿って時系列に処理する必要はない。例えば、起動制御装置１０の動作における各ステップは、フローチャートとして記載した順序と異なる順序で処理されても、並列的に処理されてもよい。
【００６７】
また、コンピュータに内蔵されるＣＰＵ、ＲＯＭおよびＲＡＭなどのハードウェアを、上述した起動制御装置１０が有する構成と同等の機能を発揮させるためのプログラムも作成可能である。また、該プログラムを記録した、コンピュータに読み取り可能な記録媒体も提供され得る。
【００６８】
なお、以下のような構成も本開示の技術的範囲に属する。
（１）
ユーザによりなされる行動および前記行動がなされる位置を取得する取得部と、
前記位置での前記行動が過去になされた場合における機能の起動状態の履歴に基づいて、前記ユーザにより前記位置での前記行動がなされている間の前記機能の起動状態を制御する起動制御部と、
を備える、制御装置。
（２）
前記起動制御部は、前記位置での前記行動が過去になされた場合における機能の起動状態の履歴に基づいて、前記機能を起動させるか否かを判定する、
前記（１）に記載の制御装置。
（３）
前記取得部は、予定情報に登録されている行動を前記ユーザによりなされる行動として取得する、
前記（１）に記載の制御装置。
（４）
前記取得部は、予定情報に登録されている位置を前記行動がなされる位置として取得する、
前記（１）に記載の制御装置。
（５）
前記機能は、センサによる検出機能、通信インタフェースによる通信機能およびプログラムにより提供される機能のうちの少なくともいずれか１つを含む、
前記（１）に記載の制御装置。
（６）
前記履歴は、当該ユーザ以外のユーザにより前記位置での前記行動が過去になされた場合における履歴である、
前記（１）に記載の制御装置。
（７）
ユーザによりなされる行動および前記行動がなされる位置を取得することと、
前記位置での前記行動が過去になされた場合における機能の起動状態の履歴に基づいて、前記ユーザにより前記位置での前記行動がなされている間の前記機能の起動状態を制御することと、
を含む、制御方法。
（８）
コンピュータを、
ユーザによりなされる行動および前記行動がなされる位置を取得する取得部と、
前記位置での前記行動が過去になされた場合における機能の起動状態の履歴に基づいて、前記ユーザにより前記位置での前記行動がなされている間の前記機能の起動状態を制御する起動制御部と、
を備える制御装置として機能させるためのプログラム。
（９）
コンピュータを、
ユーザによりなされる行動および前記行動がなされる位置を取得する取得部と、
前記位置での前記行動が過去になされた場合における機能の起動状態の履歴に基づいて、前記ユーザにより前記位置での前記行動がなされている間の前記機能の起動状態を制御する起動制御部と、
を備える制御装置として機能させるためのプログラムを記録した、コンピュータに読み取り可能な記録媒体。
【符号の説明】
【００６９】
１      起動制御システム
１０    起動制御装置（制御装置）
２０    ネットワーク
１１０  制御部
１１１  履歴生成部
１１２  取得部
１１３  判定部
１１４  起動制御部
１１５  起動部
１２０  入力部
１３０  検出部
１４０  通信部
１５０  記憶部
１６０  出力部
【図１】
2014007451.tif 000003
【図２】
2014007451.tif 000004
【図３】
2014007451.tif 000005
【図４】
2014007451.tif 000006
【図５】
2014007451.tif 000007
【図６】
2014007451.tif 000008
【図７】
2014007451.tif 000009
【図８】
2014007451.tif 000010